(57)【要約】【課題】この発明はベッドフレーム内の空間部を衣類や小物類などの収容部として利用することができるベッド用床板ユニットを提供することにある。【解決手段】矩形枠状のベッドフレームに着脱可能に設けられる床板ユニットであって、上記ベッドフレーム２に着脱可能に保持される固定枠１２と、この固定枠に一端部が回動可能に連結された可動枠１７と、一端を上記固定枠に連結し他端を上記可動枠に連結して設けられこの可動枠を倒伏した状態から起立方向に付勢したガススプリング３３と、上記可動枠に設けられこの可動枠にマットレスを支持するための床板体４１とを具備する。【選択図】    図１
2004350957.tif 000002
【特許請求の範囲】
【請求項１】
矩形枠状のベッドフレームに着脱可能に設けられる床板ユニットであって、
上記ベッドフレームに着脱可能に保持される固定枠と、
この固定枠に一端部が回動可能に連結された可動枠と、
一端を上記固定枠に連結し他端を上記可動枠に連結して設けられこの可動枠を倒伏した状態から起立方向に付勢したガススプリングと、
上記可動枠に設けられこの可動枠にマットレスを支持するための床板体と、
を具備したことを特徴とするベッド用床板ユニット。
【請求項２】
上記固定枠は一対の側辺部材と端辺部材とによって上記ベッドフレームと対応する矩形枠状に形成され、上記一対の端辺部材は上面が開放した断面ほぼＵ字状をなしていて、
上記一対の端辺部材にはそれぞれ上記ガススプリングの一端が回動可能に連結され、上記可動枠を倒伏させて上記ガススプリングを縮小させると、上記ガススプリングの一端部は上記端辺部材の内部に入り込むことを特徴とする請求項１記載のベッド用床板ユニット。
【請求項３】
上記可動枠は、一対の側辺部材と端辺部材とによって上記固定枠と対応する矩形枠状に形成され、上記一対の端辺部材は下面が開放した断面ほぼＵ字状をなしていて、
上記ガススプリングの他端は、上記端辺部材の長手方向に沿って形成された複数の取付け部のうちの１つに選択的に着脱可能に枢着されることを特徴とする請求項１記載のベッド用床板ユニット。
【請求項４】
上記固定枠の上記可動枠が連結される一端部には、この可動枠を上昇方向に回動させたとき、上記床板に載置されたマットレスがずれ落ちるのを阻止するストッパ部材が設けられていることを特徴とする請求項１記載のベッド用床板ユニット。
【請求項５】
矩形枠状のベッドフレームを有し、このベッドフレームにはベッド用床板ユニットが着脱可能に設けられるベッド装置において、
上記ベッド用床板ユニットは請求項１に記載された構成であることを特徴とするベッド装置。
【発明の詳細な説明】
【０００１】
【発明の属する技術分野】
この発明はベッドフレームに着脱可能に支持されるベッド用床板ユニット及びそれを用いたベッド装置に関する。
【０００２】
【従来の技術】
一般に、ベッド装置は平面形状が矩形枠状に形成されたベッドフレームを有する。ベッドフレームを形成するサイドフレームの内面には、それぞれ受け桟が長手方向に沿って設けられている。一対のサイドフレームの受け桟には、上面にマットレスが載置される床板が幅方向両端部を係合させて設けられる。
【０００３】
ベッド装置は室内空間を大きく占有する。そのため、ベッド装置が設置された室内空間の有効利用を図るため、上記ベッド装置のベッドフレームの枠内の空間部を衣類や小物類などを収容する収容部として利用することが行なわれている。
【０００４】
すなわち、マットレスが載置される床板を、ベッドフレームに回動可能に連結し、この床板を起上方向に回動させることで、ベッドフレーム内の空間部を開放し、この空間部に衣類や小物類などを出し入れできるようにしている。
【０００５】
【発明が解決しようとする課題】
ベッドフレーム内の空間部を予め収納部として利用するように構成されたベッド装置であれば、当然、利用時には上記収容部を開放し、そこに衣類や小物類などを出し入れすることができる構成となっている。しかしながら、ベッド装置には、ベッドフレーム内の空間部を収納部として利用することを前提とせずに構成されたものもある。
【０００６】
つまり、ベッドフレームの内部空間を収容部として利用しない構成のベッド装置は、上述したようにベッドフレーム内に床板を架設し、この床板上にマットレスが載置されているだけである。そのため、そのような構成のベッド装置はベッドフレーム内の空間部を必要に応じて簡単に開放することができる構成となっていないから、利用者はベッドフレーム内の空間部を収納部として利用することができず、非常に不便であった。つまり、ベッドフレーム内の空間部を収納物して利用した場合には、予めそのように構成されたベッド装置に買い換えなければならないという不便があった。
【０００７】
この発明は、ベッドフレーム内の空間部を収納部として利用することができない構成のベッド装置であっても、上記空間部を収納部として利用可能に変換できるベッド用床板ユニット及びそのベッド用床板ユニットが用いられたベッド装置を提供することにある。
【０００８】
【課題を解決するための手段】
この発明は、矩形枠状のベッドフレームに着脱可能に設けられる床板ユニットであって、
上記ベッドフレームに着脱可能に保持される固定枠と、
この固定枠に一端部が回動可能に連結された可動枠と、
一端を上記固定枠に連結し他端を上記可動枠に連結して設けられこの可動枠を倒伏した状態から起立方向に付勢したガススプリングと、
上記可動枠に設けられ上面にマットレスが載置される床板体と、
を具備したことを特徴とするベッド用床板ユニットにある。
【０００９】
上記固定枠は一対の側辺部材と端辺部材とによって上記ベッドフレームと対応する矩形枠状に形成され、上記一対の端辺部材は上面が開放した断面ほぼＵ字状をなしていて、
上記一対の端辺部材にはそれぞれ上記ガススプリングの一端が回動可能に連結され、上記可動枠を倒伏させて上記ガススプリングを縮小させると、上記ガススプリングの一端部は上記端辺部材の内部に入り込むことが好ましい。
【００１０】
上記可動枠は、一対の側辺部材と端辺部材とによって上記固定枠と対応する矩形枠状に形成され、上記一対の端辺部材は下面が開放した断面ほぼＵ字状をなしていて、
上記ガススプリングの他端は、上記端辺部材の長手方向に沿って形成された複数の取付け部のうちの１つに選択的に着脱可能に枢着されることが好ましい。
【００１１】
上記固定枠の上記可動枠が連結される一端部には、この可動枠を上昇方向に回動させたとき、上記床板に載置されたマットレスがずれ落ちるのを阻止するストッパ部材が設けられていることが好ましい。
【００１２】
この発明は、矩形枠状のベッドフレームを有し、このベッドフレームにはベッド用床板ユニットが着脱可能に設けられるベッド装置において、
上記ベッド用床板ユニットは、
上記ベッドフレームに着脱可能に保持される固定枠と、
この固定枠に一端部が回動可能に連結された可動枠と、
一端を上記固定枠に連結し他端を上記可動枠に連結して設けられこの可動枠を倒伏した状態から所定の角度に起立させるガススプリングと、
上記可動枠に設けられこの可動枠にマットレスを支持するための床板体と、
を具備したことを特徴とするベッド装置にある。
【００１３】
この発明によれば、固定枠と可動枠からなるベッド用床板ユニットを、ベッドフレームに保持することで、可動枠を起上方向に回動させることができるから、ベッドフレーム内の空間部を開放し、その空間部を衣類や小物類などの収容部として利用することが可能となる。
【００１４】
【発明の実施の形態】
以下、図面を参照しながらこの発明の一実施の形態を説明する。
【００１５】
図１はこの発明の一実施の形態に係るベッド用床板ユニット１を分解してベッドフレーム２とともに示す斜視図である。このベッドフレーム２は、所定間隔で平行に離間対向した一対の側板３を有し、この側板３の長手方向一端には端板４が連結され、他端にはヘッドボード５が連結され、平面形状が矩形枠状に形成されている。上記一対の側板３の内面の高さ方向中途部には、それぞれ受け桟６が長手方向ほぼ全長にわたって設けられている。
【００１６】
上記ベッドフレーム２内の空間部を衣類や小物類などの収納部２ａとして利用しない場合には、図５（ｂ）に示すフラッシュ構造の２枚の床板７が図５（ａ）に示すように幅方向両端部を上記一対の受け桟６に係合させて載置される。そして、この床板７上には同図に鎖線で示すようにマットレス８が載置される。
【００１７】
上記ベッドフレーム２内の空間部を収容部２ａとして利用する場合には、上記床板７をこの発明のベッド用床板ユニット１に交換する。このベッド用床板ユニット１は、図１に示すように固定枠１２を備えている。この固定枠１２は、角パイプからなる一対の側辺部材１３の長手方向一端と他端との下面を、断面形状がＵ字状のチャンネル材からなる端辺部材１４によって連結することで、上記ベッドフレーム２内に入り込む大きさの矩形枠状に形成されている。端辺部材１４は開放した面を上に向けて上記側辺部材１３の両端下面に連結固定されている。
【００１８】
一対の側辺部材１３の外面には、長手方向に所定間隔でそれぞれ４つのＬ字状の係合片１５が一辺を固定して設けられている。固定枠１２をベッドフレーム２内に落とし込むと、一対の側辺部材１３の外面に設けられた合計８つの係合片１５の他辺がそれぞれ受け桟６に係合する。それによって、固定枠１２はベッドフレーム２に着脱可能に保持されるようになっている。
【００１９】
上記固定枠１２の一方の側辺部材１３の長手方向両端には、それぞれチャンネル材からなる連結片１６が立設されている。一対の連結片１６には可動枠１７の幅方向一端の長手方向両端が回動可能に連結される。
【００２０】
すなわち、上記可動枠１７はアングル材からなる一対の側辺部材１８を有し、これらの側辺部材１８は長手方向一端と他端との下面がチャンネル材からなる一対の端辺部材１９によって所定間隔で連結されている。それによって、可動枠１７は、上記固定枠１２とほぼ同じ大きさの矩形枠状に形成されている。可動枠１７の端辺部材１９は、開放した側面を下に向けて設けられている。
【００２１】
可動枠１７の一対の端辺部材１９の一端は側辺部材１８よりもわずかに突出し、その突出端にはそれぞれ第１の連結孔２１が形成されている。可動枠１７の第１の連結孔２１が形成された幅方向一端は、上記固定枠１２の幅方向一端の長手方向両端に立設された上記連結片１６に連結ピン２２によって回動可能に連結されている。
【００２２】
すなわち、上記連結片１６の上端には第２の連結孔２３が穿設されている。上記第１の連結孔２１と第２の連結孔２３とを対応させ、そこに上記連結ピン２２を挿通することで、上記固定枠１２の幅方向一端に可動枠１７の幅方向一端が回動可能に連結される。連結ピン２２の先端部は上記可動枠１７の端辺部材１９の幅方向内面側に突出し、その突出端には割りピン２４が取着される。それによって、連結ピン２２は抜出不能となっている。
【００２３】
なお、可動枠１７の幅方向他端で、側辺部材１８よりも幅方向内方には、両端を一対の端辺部材１９の下面に連結固定した角筒状の補強部材２５が架設されている。
【００２４】
上記固定枠１２の一対の側辺部材１３の長手方向中途部の上面にはそれぞれ第１の係止孔２７が開口形成されている。ベッドフレーム２内に床板ユニット１を落とし込み、係合片１５を受け桟６に係合させたとき、上記側辺部材１３の第１の係止孔２７と、上記受け桟６の長手方向中途部の上面に開口して形成された第２の係止孔２８とには、線材をコ字状に曲成した止め具２９が両端部を挿入させて設けられる。それによって、ベッドフレーム２に保持された床板ユニット１はベッドフレーム２内でずれ動くのが防止されている。
【００２５】
一対の受け桟６に形成された一対の第２の係止孔２８には、図１に鎖線で示すように線材によって形成された反り止め防止部材３１のＬ字状に曲成された両端部が挿入係止される。つまり、一対の第２の係止孔２８は、ベッドフレーム２に、図５（ａ）で示す床板７を受け桟６上に載置する場合、一対の側板３が幅方向外方に反るのを防止するため、反り止め防止部材３１を一対の側板３間に架設するために利用されている。
【００２６】
上記ベッドフレーム２に、この発明のベッド用床板ユニット１を設ける場合、反り止め防止部材３１を取り付けるために受け桟６に形成された第２の係止孔２８は、床板ユニット１がベッドフレーム２内でずれ動くのを防止する止め具２９を取り付けるために利用される。
【００２７】
上記固定枠１２の一対の端辺部材１４の長手方向中途部には、それぞれガススプリング３３のシリンダ３３ａ側の端部が上記端辺部材１４内に入り込んだ状態で、取付けピン３４によって枢着されている。この取付けピン３４は割りピン３４ａによって抜出不能に保持されている。
【００２８】
上記可動枠１７の下面が開放した端辺部材１９の中途部には長手方向に沿って所定間隔で第１の取付け孔３５と第２の取付け孔３６が形成されている。ガススプリング３３のロッド３３ｂの先端部は端辺部材１９の内部に入り込み、可動枠１７の幅方向他端寄りの第１の取付け孔３５に連結ピン３７によって枢着されている。第１の取付け孔３５に挿通された連結ピン３７の先端には割りピン３８が設けられ、連結ピン３７が抜出するのを防止している。
【００２９】
それによって、上記可動枠１７は、一対のガススプリング３３によって固定枠１２に連結された幅方向一端を支点として他端が上昇する方向に付勢されている。
【００３０】
上記可動枠１７には床板体４１が設けられている。この床板体４１は図２と図４（ａ）に示すように、帯状板部材からなる複数の横桟４２を有する。各横桟４２の両端部には合成樹脂によって一側面が開放した箱形状に形成されたケース４３が装着されている。隣り合うケース４３の側面は図示しない連結片によって所定間隔で連結されている。床板体４１の長手方向両端に位置するケース４３は上記可動枠１７の側辺部材１８にそれぞれ連結されている。それによって、可動枠１７を起伏駆動しても、この可動枠１７に設けられた床板体４１が可動枠１７上でずれ動くことがないようになっている。
【００３１】
上記床板体４１上には図３と図５（ａ）に鎖線で示すように上記マットレス８が載置される。上記固定枠１２の幅方向一側の長手方向中途部には、上記可動枠１７を起上方向に回動させたときに、上記マットレス８が可動枠１７、つまり床板体４１上からずれ落ちるのを阻止するストッパ部材４７が取着されている。このストッパ部材４７は線材をほぼコ字状に曲成してなり、両端を上記固定枠１２の幅方向一端側の側辺部材１３に取着して設けられている。
【００３２】
なお、上記可動枠１７の幅方向他端の長手方向中途部には手掛け部材４８が設けられている。この手掛け部材４８に手を掛けて可動枠１７をマットレス８とともに上昇方向に回動させることができるようになっている。可動枠１７の床板体４８を設け、この床板体４８にマットレス８を載置したときに、これらの重量と一対のガススプリング３３の付勢力がほぼ釣り合い、可動枠１７が水平に倒伏している。
【００３３】
上記構成のベッド装置によれば、図５（ａ）に示す従来の床板７をベッドフレーム２から取外し、この発明のベッド用床板ユニット１に交換することができる。床板７をベッド用床板ユニット１に交換すれば、マットレス８が載置された可動枠１７を、図３に鎖線で示すように固定枠１２の幅方向一端を支点として起上方向に回動上昇させることができる。そのため、ベッドフレーム２内の収容部２ａを開放することができるから、この収容部２ａに衣類や小物類などを出し入れすることができる。
【００３４】
すなわち、従来はベッドフレーム２の内の空間部が全く利用されていないベッド装置であっても、ベッド装置の従来の床板７を、この発明のベッド用床板ユニット１に交換することで、ベッドフレーム２内の空間部を収容部２ａとして利用することが可能となる。
【００３５】
可動枠１７を起上方向に回動させるとき、ガススプリング３３の付勢力が作用する。そのため、可動枠１７を軽い力で楽に起上させること可能となる。可動枠１７を倒伏させる際には、ガススプリグ３３が復元力に抗して縮小するため、可動枠１７が急激に倒伏するのを防止できる。
【００３６】
ガススプリング３３のロッド３３ｂの先端は、可動枠１７に形成された第１、第２の取付け孔３５，３６のどちらかに選択的に連結することができる。ロッド３３ｂの先端を第１、第２の取付け孔３５，３６のどちらに連結するかによって、ガススプリング３３が可動枠１７に作用する復元力を変えることができる。すなわち、可動枠１７が水平に倒伏した状態において、ロッド３３ｂを第１の取付け孔３５に連結すると、第２の連結孔３６に連結した場合に比べてガススプリング３３が水平方向に倒伏するから、ガススプリング３３の復元力が可動枠１７に作用する力を小さくすることができる。
【００３７】
したがって、たとえば可動枠１７に載置されるマットレス８の重量が大きくなった場合などには、ロッド３３ｂを第２の取付け孔３５に連結し、小さくなった場合には第２の取付け孔３６に連結する。それによって、マットレス８の重量に応じて可動枠１７に作用するガススプリング３３の復元力を変えることができるから、可動枠１７の起上操作や倒伏操作を軽い力で確実に行うことが可能となる。
【００３８】
可動枠１７を倒伏させると、ガススプリング３３のシリンダ３３ａ側の端部は固定枠１２の端辺部材１４内に入り込み、ロッド３３ｂ側の端部は可動枠１７の端辺部材１９の内部に入り込む。そのため、ガススプリング３３が固定枠１２と可動枠１７との間に介在していても、可動枠１７を水平に倒伏させたときにガススプリング３３が可動枠１７や固定枠１２にぶつかるのを防止することができる。
【００３９】
換言すれば、可動枠１７と固定枠１２との上下方向の間隔を小さくすることができるから、ベッド用床板ユニット１の薄型化を図ることができる。しかも、可動枠１７を倒伏させた状態で、ガススプリング３３が外部に露出する度合を少なくできるから、外観の向上を図ることができる。
【００４０】
この発明は、上述した一実施の形態に限定されるものでなく、たとえば床板体は複数の横桟を用いたものでなく、可動枠に図５（ｂ）に示す構成の床板を載置するようにしてもよい。
上記可動枠は幅方向一端を固定枠に対して回動可能に連結したが、長手方向一端を固定枠に回動可能に連結し、ベッドフレームの長手方向に沿って起伏させることができるようにしてもよい。
ガススプリングは固定枠と可動枠の長手方向一端と他端とにそれぞれ設けるようにしたが、長手方向中途部に１つだけ設けるようにしても差し支えない。
【００４１】
【発明の効果】
以上のようにこの発明によれば、固定枠と可動枠からなるベッド用床板ユニットを、ベッドフレームに保持することで、可動枠を起上方向に回動させることができるから、ベッドフレーム内の空間部を開放し、その空間部を衣類や小物類などの収容部として利用することが可能となる。
【００４２】
すなわち、ベッドフレーム内の空間部を収容部として利用することができない従来構造のベッド装置であっても、床板をこの発明の床板ユニットに交換することで、ベッドフレーム内の空間部を収容部として利用することができる。
【図面の簡単な説明】
【図１】この発明の一実施の形態に係るベッド装置の床板ユニットを分解した斜視図。
【図２】ベッド装置の平面図。
【図３】可動枠を起上させた除隊を鎖線で示すベッド装置の側面図。
【図４】（ａ）は床板ユニットの平面図、（ｂ）は正面図。
【図５】（ａ）は従来の床板が設けられたベッド装置の断面図、（ｂ）は従来の床板愛の平面図。
【符号の説明】
１…ベッド用床板ユニット、２…ベッドフレーム、８…マットレス、１２…固定枠、１３…可動枠、１３，１８…側辺部材、１４，１９…端辺部材、３３…ガススプリング、４１…床板体、４７…ストッパ部材。
【図１】
2004350957.tif 000003
【図２】
2004350957.tif 000004
【図３】
2004350957.tif 000005
【図４】
2004350957.tif 000006
【図５】
2004350957.tif 000007